(57)【特許請求の範囲】
【請求項１】
ガラス製の円筒状のバレルと、前記バレル内を摺動可能なガラス製のプランジャとを備え、前記バレルの基端部に外周方向に突出するバレル側フランジ部を有し、前記プランジャの基端部に外周方向に突出するプランジャ側フランジ部を有するガラス製シリンジにおいて、前記バレルに対して前記プランジャが衝突しないように前記プランジャを位置決めする位置決め部材であって、
前記バレルの胴部外周に装着される保持部と、
前記保持部から前記バレル側フランジ部及び前記プランジャ側フランジ部を越えて軸方向基端側に延びる延出部と、
前記延出部から前記プランジャ側フランジ部を跨いで前記プランジャの反対側まで延設される基端側抑止部と、
前記基端側抑止部から前記プランジャの先端側に延出される側方側抑止部とを備え、
前記側方側抑止部は、前記プランジャが前記バレル内部の先端側に位置した状態で前記プランジャ側フランジ部よりも基端側に位置し、前記プランジャ側フランジ部が前記基端側抑止部に当接した状態で前記プランジャ側フランジ部の側方に対面するものであることを特徴とするプランジャの位置決め部材。
【請求項２】
請求項１に記載のプランジャの位置決め部材であって、
前記延出部は、前記基端側抑止部よりも前方位置で前記プランジャ側に突出し、前記プランジャが前方に移動した際に前記バレル内部の先端側への当接を阻止するように前記プランジャ側フランジ部に当接する前方側抑止部を備えていることを特徴とするプランジャの位置決め部材。
【請求項３】
請求項１又は２に記載のプランジャの位置決め部材であって、
前記延出部が、前記バレル側フランジ部に対面する箇所に切欠部を有し、前記保持部を前記バレルの胴部外周に装着した際に、前記切欠部が前記バレル側フランジ部における最大突出部よりも外側に位置するように形成されていることを特徴とするプランジャの位置決め部材。
【請求項４】
請求項１乃至３のいずれか１項に記載のプランジャの位置決め部材であって、
前記延出部の軸方向中央部に、厚さ方向外側に突出する取っ手を備えていることを特徴とするプランジャの位置決め部材。
【発明の詳細な説明】
【技術分野】
【０００１】
本発明は、ガラス製シリンジが搬送過程等で破損しないようにプランジャを位置決めする位置決め部材に関する。
【背景技術】
【０００２】
従来、ガラス製のバレル３とガラス製のプランジャ４とを備えるガラス製シリンジ２は、搬送時等にバレル３内でプランジャ４が移動して両者が衝突して破損しないように、図５（ａ）及び（ｂ）に示すような保持具５を用いている。この従来の保持具５は、ステンレス製の薄板を曲げ加工することにより形成されており、バレル３の基端部のフランジ部３２の近傍に自身の弾性でバレル３の胴部３３の外周を挟持する挟持部５１と、この挟持部５１からバレル３の基端側に延設され、フランジ部３２の突出量が小さい箇所３２ａからバレル３の軸中心に向かって延設されプランジャ４側に向けて突出する抑止部５２とを備えている。このような従来の保持具５は、バレル３内部の先端部までプランジャ４が挿入された際に、抑止部５２がプランジャ４の小径部４３に位置するものとなっている。当該構成により、シリンジ２の搬送時等にプランジャ４が図５（ａ）において後方に移動しようとすると、抑止部５２がプランジャ４の小径部４３とバレル３の内周面と摺動する大径部４１との境界にある傾斜部４２に当接するので、プランジャ４の移動が抑止される。
【０００３】
しかしながら、このような従来の保持具５は、抑止部５２が自身の弾性により変形可能となっているため、搬送時にシリンジ２に強い振動等が加わった場合に、プランジャ４の傾斜部４２が抑止部５２を押し広げ、バレル３内でプランジャ４が移動してバレル３に衝突していずれか又は双方が破損したり、プランジャ４がバレル３から落下して破損するおそれがある。
【０００４】
また、使用者がシリンジ２を使用しようとした際に、保持具５がついたままでバレル３からプランジャ４を引き出すことが可能であるため、そのまま注射に使用されてしまうおそれがある。このような使用形態は、保持具５の使用目的とは異なるものであるため好ましくない。
【０００５】
また、従来の保持具５は、構造上抑止部５２の長さが長くなると強度が下がるので、バレル３のフランジ部３２の突出量が小さい箇所３２ａに抑止部５２が位置するように装着する構成となっている。このため、抑止部５２がフランジ部の突出量が大きい箇所３２ｂに装着されると、抑止部５２が押し広げられてプランジャ４の傾斜部４２及び大径部４１に当接しなくなるため、このように誤って装着すると、保持具５としての機能を失うという不都合もあった。
【０００６】
一方、下記特許文献１には、薬液が予め充填されたいわゆるプレフィルドシリンジを収納する熱収縮性フィルムが開示されている。このフィルムは、バレルの後端部からプランジャに亘る部分が熱収縮されることによりプランジャがバレルに対して動かないように保持するものとなっている。
【特許文献１】特開平８−５２２１０号公報
【発明の開示】
【発明が解決しようとする課題】
【０００７】
特許文献１に開示されたフィルムは、プレフィルドシリンジの搬送時等にプランジャが動かないように保持するものであるため、これをガラス製のシリンジに用いて、バレルとプランジャとを固定して包装することもできる。
【０００８】
しかしながら、このような包装では、例えばバレルの先端部（薬液が吐出される側）を上側にした状態でフィルムを破ってシリンジを取り出した際に、バレルからプランジャが滑り落ちてしまうおそれがある。このような不都合は特許文献１のようなプレフィルドシリンジや、プランジャの先端にゴム製のピストンが装着されているシリンジでは生じないが、バレル内に薬液が入っていない状態のガラス製シリンジではこのような不都合が生じてしまう。
【０００９】
本発明は、ガラス製のシリンジにおいてプランジャを位置決めする位置決め部材の改良を目的とし、バレルに対してプランジャを確実に位置決めすることができると共に、位置決め部材を取り外す際にバレルからプランジャが落下しないように取り外すことができる位置決め部材を提供することを目的とする。
【課題を解決するための手段】
【００１０】
前記目的を達成するために、本発明のガラス製シリンジにおけるプランジャの位置決め部材は、ガラス製の円筒状のバレルと、前記バレル内を摺動可能なガラス製のプランジャとを備え、前記バレルの基端部に外周方向に突出するバレル側フランジ部を有し、前記プランジャの基端部に外周方向に突出するプランジャ側フランジ部を有するガラス製シリンジにおいて、前記バレルに対して前記プランジャが衝突しないように前記プランジャを位置決めする位置決め部材であって、前記バレルの胴部外周に装着される保持部と、前記保持部から前記バレル側フランジ部及び前記プランジャ側フランジ部を越えて軸方向基端側に延びる延出部と、前記延出部から前記プランジャ側フランジ部を跨いで前記プランジャの反対側まで延設される基端側抑止部と、前記基端側抑止部から前記プランジャの先端側に延出される側方側抑止部とを備え、前記側方側抑止部は、前記プランジャが前記バレル内部の先端側に位置した状態で前記プランジャ側フランジ部よりも基端側に位置し、前記プランジャ側フランジ部が前記基端側抑止部に当接した状態で前記プランジャ側フランジ部の側方に対面するものであることを特徴とする。
【００１１】
本発明のプランジャの位置決め部材によれば、前記保持部により前記バレルに固定され、前記基端側抑止部により前記プランジャの基端側への移動が抑制される。また、前記バレルの先端側を下にして前記バレルを立てた状態では、前記プランジャが前記バレル内部の先端側に位置する。この状態で本発明の位置決め部材をバレルから取り外そうとした場合、前記側方側抑止部の先端部は前記プランジャ側フランジ部よりも基端側に位置しているので、前記側方側抑止部が前記プランジャに当接することがなく、容易に取り外すことができる。
【００１２】
一方、前記バレルの先端側を上にして前記バレルを立てた状態では、前記プランジャが下側になるため、プランジャがバレル内部を摺動して基端側に移動して基端側抑止部に当接する。このため、プランジャがバレルから外れて落下することが防止される。また、この状態で使用者が本発明の位置決め部材をバレルから取り外そうとすると、側方側抑止部がプランジャ側フランジ部の側面に当接するため、容易には取り外すことができない。従って、使用者がプランジャが下になっている状態で本発明の位置決め部材を誤って取り外し、プランジャを落下させるという事態を防止することができる。また、前記基端側抑止部が設けられているため、本発明の位置決め部材がシリンジに装着されている状態では、シリンジを注射に用いることはできないため、使用者による誤った使用方法を防止することができる。
【００１３】
また、本発明のガラス製シリンジにおけるプランジャの位置決め部材においては、前記延出部は、前記基端側抑止部よりも前方位置で前記プランジャ側に突出し、前記プランジャが前方に移動した際に前記バレル内部の先端側への当接を阻止するように前記プランジャ側フランジ部に当接する前方側抑止部を備えていることが好ましい。このように、前記延出部に前記前方側抑止部を設けることにより、バレルの先端部を下方に向けた際にプランジャが下方に移動した場合であっても、プランジャ側フランジ部がこの前方側抑止部に当接するため、プランジャがバレル内部の先端部に当接しないので、シリンジの破損を防止することができる。
【００１４】
また、本発明のガラス製シリンジにおけるプランジャの位置決め部材においては、前記延出部が、前記バレル側フランジ部に対面する箇所に切欠部を有し、前記保持部を前記バレルの胴部外周に装着した際に、前記切欠部が前記バレル側フランジ部における最大突出部よりも外側に位置するように形成されていることが好ましい。前記切欠部をこのような構成とすることにより、本発明の位置決め部材をバレルの径方向のどの方向から装着した場合であっても、バレル側フランジ部が延出部に当接しないので、位置決め部材のシリンジへの装着が容易となる。
【００１５】
また、本発明のガラス製シリンジにおけるプランジャの位置決め部材においては、前記延出部の軸方向中央部に、厚さ方向外側に突出する取っ手を備えていることが好ましい。このように、前記延出部の中央に取っ手を設けることにより、位置決め部材をシリンジの径方向と平行に脱着することができる。従って、前記バレルの先端側を上にして前記バレルを立てた状態で位置決め部材をシリンジから取り外そうとした場合、確実に側方側抑止部をプランジャ側フランジ部の側面に当接させることができる。
【発明を実施するための最良の形態】
【００１６】
次に、本発明のガラス製シリンジにおけるプランジャの位置決め部材の実施形態の一例について、図１乃至図４を参照して説明する。図１は本実施形態の位置決め部材がガラス製シリンジに装着されている状態を示す説明図、図２は本実施形態の位置決め部材の詳細を示す説明図、図３はバレルの先端部を上方に向けた状態におけるプランジャと位置決め部材との関係を示す説明図、図４はバレルの先端部を下方に向けた状態におけるプランジャと位置決め部材との関係を示す説明図である。
【００１７】
本実施形態の位置決め部材１は、図１に示すように、ガラス製のバレル３とプランジャ４とを有するシリンジ２の基端側（図１において右側）に取り付けられる部材である。ここで、シリンジ２は、先端に薬液吐出口３１と基端に外方に突出するフランジ部３２と円筒状の胴部３３とを有する略円筒状のバレル３と、バレル３の内周面と摺接する大径部４１と、大径部４１から傾斜部４２を介して連続する小径部４３と、基端部に設けられたフランジ部４４とを有するプランジャ４とを備えている。
【００１８】
本実施形態の位置決め部材１は、バレル３の基端側の胴部３３の外周に装着される保持部１１と、保持部１１からバレル３の基端方向に延びる棒状の延出部１２と、延出部１２から９０゜湾曲して略Ｌ字状に延びる基端側抑止部１３と、基端側抑止部１３からさらに９０゜湾曲してバレル３の先端方向に延びる側方側抑止部１４とを備えている。
【００１９】
保持部１１は、図２（ｃ）に示すように、バレル３の胴部３３を自身の弾性により挟持可能なように略Ｃ字状に形成されている。また、その先端部１１ａはバレル３側に若干突出しており、バレル３の外径よりも間隔が狭くなっている。
【００２０】
延出部１２には、プランジャ４側に向けて突出する前方側抑止部１２ａが設けられている。この前方側抑止部１２ａは、プランジャ４がバレル３に装着されている際に、小径部４３には当接せず、フランジ部４４の前面には当接する突出量となっている。
【００２１】
また、延出部１２には、幅方向外方に突出する取っ手１２ｂが設けられている。この取っ手１２ｂは、位置決め部材１がシリンジ２に装着された状態で、シリンジ２の径方向、即ちプランジャ４のフランジ部４４の基端面と平行に位置決め部材１を取り外すことができるように、延出部１２の略中央に設けられている。また、取っ手１２ｂの近傍には、使用者が位置決め部材１をシリンジ２から取り外す際に指で延出部１２を掴みやすいように、延出部１２の両面に一対の凹部１２ｃが設けられている。
【００２２】
さらに、延出部１２には、保持部１１との連結部分の近傍に切欠部１２ｄが設けられている。この切欠部１２ｄは、バレル３のフランジ部３２の突出量が大きい箇所３２ｂ（図５（ｃ）参照）に対面しても、突出量が小さい箇所３２ａに対面してもフランジ部３２に当接しないような窪みの大きさとなっている。
【００２３】
基端側抑止部１３は、プランジャ４のフランジ部４４の基端面に対面して延設され、プランジャ４がバレル３から抜け落ちないようにプランジャ４の移動を抑止するものである。本実施形態においては、延出部１２の幅と同一の幅を有する一本の棒状に形成されている。
【００２４】
側方側抑止部１４は、図２（ａ）に示すように、基端側抑止部１３からシリンジ２の前方、即ち保持部１１が設けられている側に向けて突出している。また、側方側抑止部１４は、図２（ｂ）（ｃ）に示すように、幅方向に矩形状に突出する形状となっている。
【００２５】
次に、本実施形態の位置決め部材１の作用について図１、図３及び図４を参照して説明する。まず、シリンジ２は、搬送時等においては、図１に示すように、バレル３内にプランジャ４が挿入されており、バレル３の基端側に位置決め部材１が装着された状態となっている。具体的には、バレル３のフランジ部３２近傍の胴部３３に保持部１１が挟持されている。また、プランジャ４のフランジ部４４が前方側抑止部１２ａと基端側抑止部１３との間に位置している。バレル３のフランジ部３２は、延出部１２の切欠部１２ｄ内に位置している。
【００２６】
シリンジ２は、使用前の状態では、図１に示す状態で包装用のフィルム（図示せず）に収納されており、その状態で箱詰め等されて流通している。このような状態で、シリンジ２に搬送時の振動等が加わった場合、プランジャ４がバレル３に対して図１の左右方向に移動することがあるが、プランジャ４が前方に移動した場合、フランジ部４４が前方側抑止部１２ａに当接するのでそれ以上前方には移動しない。従って、プランジャ４の先端部がバレル３の内部の先端部に衝突することがない。また、プランジャ４が後方に移動した場合、基端側抑止部１３に当接するので、それ以上プランジャ４が後方に移動することがない。このように、本実施形態の位置決め部材１によれば、シリンジ２に振動等が加わった場合であっても、プランジャ４がバレル３に衝突せず、また、プランジャ４がバレル３から落下することもないので、シリンジ２の破損が防止される。
【００２７】
次に、図３に示すように、使用者がシリンジ２の先端側を上方にした状態で位置決め部材１を取り外そうとした場合について説明する。シリンジ２が図３のような状態となった場合、プランジャ４はその重みで下方に下がるため、フランジ部４４の基端面が基端側抑止部１３に当接する。この状態で使用者が取っ手１２ｂを持って位置決め部材１を図中の矢印の方向に取り外そうとしても、側方側抑止部１４がフランジ部４４の側面に当接するため、位置決め部材１は容易にはバレル３から取り外すことはできない。従って、使用者がうっかり図３の状態で位置決め部材１を取り外そうとした場合であっても、取り外せないことにより、使用者にプランジャ４の落下という不都合が生じることを気付かせることができる。このように、使用者は、プランジャ４が下方に落下するおそれのある状況では位置決め部材１が取り外せないので、使用者が誤ってプランジャ４を落下させてしまうことがない。
【００２８】
次に、図４に示すように、使用者がシリンジ２の先端側を下方にした状態で位置決め部材を取り外す場合について説明する。図４に示す状態では、プランジャ４がその重みで下方に下がり、フランジ部４４が前方側抑止部１２ａに当接する。この状態で使用者が取っ手１２ｂを持って図中の矢印の方向に位置決め部材１を取り外す場合は、フランジ部４４の基端面よりも側方側抑止部１４が上の位置にあるため、使用者が位置決め部材１を矢印の方向に移動させることで保持部１１の挟持を解除してバレル３から位置決め部材１を取り外すことができる。このように、シリンジ２の先端側が下方にある状態では、プランジャ４がバレル３から落下することはないので、プランジャ４を破損させることなく位置決め部材１を取り外すことが可能となる。
【００２９】
このように、本実施形態の位置決め部材１は、シリンジ２の搬送時等においては、バレル３とプランジャ４との位置関係を所定の位置に保持するため、バレル３とプランジャ４とが衝突して破損する事態を防止することができる。また、シリンジ２から位置決め部材１を取り外す際にも、誤ってバレル３からプランジャ４が落下するという事態を防止することができる。
【００３０】
特に、本実施形態の位置決め部材１では、延出部１２の中央に取っ手１２ｂが設けられているので、プランジャ４の基端面と平行に位置決め部材１を移動させることができるため、図３に示す状態のときには、側方側抑止部１４の機能を確実に発揮させることができる。
【００３１】
なお、本発明の位置決め部材は、上記実施形態や各図面に表された形態に限定されず、本発明の趣旨内において適宜変更が可能である。例えば、上記実施形態においては、保持部１１をバレル３の胴部３３に挟持するように構成しているが、これに限らず、胴部３に係合されるような構成であれば多少胴部３３との隙間があってもよい。また、基端側抑止部１３の形状は、棒状に限られず板状であってもよく、側方側抑止部１４も板状に限られず棒状であってもよい。
【図面の簡単な説明】
【００３２】
【図１】本実施形態の位置決め部材がガラス製シリンジに装着されている状態を示す説明図。
【図２】（ａ）乃至（ｃ）は本実施形態の位置決め部材の詳細を示す説明図。
【図３】バレルの先端部を上方に向けた状態におけるプランジャと位置決め部材との関係を示す説明図。
【図４】バレルの先端部を下方に向けた状態におけるプランジャと位置決め部材との関係を示す説明図。
【図５】（ａ）及び（ｂ）は従来の保持具を示す説明図、（ｃ）はバレルのフランジ部の形状を示す説明図。
【符号の説明】
【００３３】
１…位置決め部材、２…シリンジ、３…バレル、４…プランジャ、１１…保持部、１２…延出部、１２ａ…前方側抑止部、１２ｂ…取っ手、１２ｃ…凹部、１２ｄ…切欠部、１３…基端側抑止部、１４…側方側抑止部、３２…バレル側フランジ部、３３…バレルの胴部、４４…プランジャ側フランジ部。
【図１】
0005095500.tif 000002
【図２】
0005095500.tif 000003
【図３】
0005095500.tif 000004
【図４】
0005095500.tif 000005
【図５】
0005095500.tif 000006